(57)【要約】【課題】トップブリッジの軽量化を図ることができると共に、トップブリッジの剛性を確保することができる自動二輪車の操向装置を提供する。【解決手段】車体フレーム１１の前端部に設けられるヘッドパイプ１２と、ヘッドパイプ１２にステアリングステム７１を介して操向自在に支持されるトップブリッジ７２及びボトムブリッジ７３と、トップブリッジ７２及びボトムブリッジ７３に保持され、前輪ＷＦを回転可能に支持するフロントフォーク６０Ｌ，６０Ｒと、トップブリッジ７２と一体的に動くように、トップブリッジ７２側に設けられるステアリング６１Ｌ，６１Ｒと、を備え、トップブリッジ７２は、トップブリッジ７２の両端部に設けられ、フロントフォーク６０Ｌ，６０Ｒを保持する保持部７４，７４と、トップブリッジ７２の上面に設けられ、各保持部７４，７４から中央部に向けて延びる突起部７６ａ，７６ｂと、を有する。【選択図】図３
2010036617.tif 000002
【特許請求の範囲】
【請求項１】
車体フレームの前端部に設けられるヘッドパイプと、
前記ヘッドパイプにステアリングステムを介して操向自在に支持されるトップブリッジ及びボトムブリッジと、
前記トップブリッジ及び前記ボトムブリッジに保持され、前輪を回転可能に支持するフロントフォークと、
前記トップブリッジと一体的に動くように、前記トップブリッジ側に設けられるステアリングと、を備え、
前記トップブリッジは、前記トップブリッジの両端部に設けられ、前記フロントフォークを保持する保持部を有する自動二輪車の操向装置において、
前記トップブリッジは、前記トップブリッジの上面に設けられ、前記保持部から中央部に向けて延びる突起部を有することを特徴とする自動二輪車の操向装置。
【請求項２】
前記ステアリングは、左右分離型のステアリングであり、左右のステアリングがそれぞれ前記フロントフォークの上端部に固定され、
前記突起部は、前記保持部の前部から中央部に向けて延びる第１突起部と、前記保持部の後部から中央部に向けて延びる第２突起部と、を有することを特徴とする請求項１に記載の自動二輪車の操向装置。
【請求項３】
前記トップブリッジの前部から前方に突出し、メインスイッチの上部を覆うカバー部を、前記トップブリッジに一体に設けることを特徴とする請求項２に記載の自動二輪車の操向装置。
【請求項４】
前記カバー部の下部に前記メインスイッチが固定され、
前記カバー部の側部と前記トップブリッジの前部との間を繋ぐ突出部を前記トップブリッジに一体に設けることを特徴とする請求項３に記載の自動二輪車の操向装置。
【発明の詳細な説明】
【技術分野】
【０００１】
本発明は、自動二輪車の操向装置に関し、特に、操向装置のトップブリッジの構造に関する。
【背景技術】
【０００２】
従来の自動二輪車の操向装置としては、前輪を回転可能に支持するフロントフォークの上部をトップブリッジに保持させ、このトップブリッジをヘッドパイプに取り付けると共に、トップブリッジにステアリングを取り付け、フロントフォークを操向自在にしたものが知られている（例えば、特許文献１参照）。
【０００３】
【特許文献１】特許第２９８７２２１号公報
【発明の開示】
【発明が解決しようとする課題】
【０００４】
ところで、通常、自動二輪車では、トップブリッジは、両端部でフロントフォークを保持し、中央部でヘッドパイプに支持されるため、前輪が物に乗り上げてフロントフォークが縮むと、トップブリッジにヘッドパイプを中心とした上方向の曲げモーメントが作用して、特に、フロントフォークを保持する保持部の根元部分に応力が集中する。また、ステアリングもフロントフォークと同様に、トップブリッジの両端部に取り付けられるため、ステアリングが操舵されると、トップブリッジにヘッドパイプを中心とした操舵方向の曲げモーメントが作用して、この場合も、フロントフォークを保持する保持部の根元部分に応力が集中する傾向にある。
【０００５】
ここで、上記した特許文献１に記載の自動二輪車の操向装置のように、トップブリッジが単純な板状のものであると、上記した曲げモーメント等に対してのトップブリッジの剛性確保のためには、トップブリッジ全体を肉厚化することが一般的である。この場合、トップブリッジの重量削減に限界があることが課題であった。
【０００６】
本発明は、上記した課題に鑑みてなされたもので、その目的は、トップブリッジの軽量化を図ることができると共に、トップブリッジの剛性を確保することができる自動二輪車の操向装置を提供することにある。
【課題を解決するための手段】
【０００７】
上記目的を達成するために、請求項１に記載の発明は、車体フレームの前端部に設けられるヘッドパイプと、ヘッドパイプにステアリングステムを介して操向自在に支持されるトップブリッジ及びボトムブリッジと、トップブリッジ及びボトムブリッジに保持され、前輪を回転可能に支持するフロントフォークと、トップブリッジと一体的に動くように、トップブリッジ側に設けられるステアリングと、を備え、トップブリッジは、トップブリッジの両端部に設けられ、フロントフォークを保持する保持部を有する自動二輪車の操向装置において、トップブリッジは、トップブリッジの上面に設けられ、保持部から中央部に向けて延びる突起部を有することを特徴とする。
【０００８】
請求項２に記載の発明は、請求項１に記載の発明の構成に加えて、ステアリングは、左右分離型のステアリングであり、左右のステアリングがそれぞれフロントフォークの上端部に固定され、突起部は、保持部の前部から中央部に向けて延びる第１突起部と、保持部の後部から中央部に向けて延びる第２突起部と、を有することを特徴とする。
【０００９】
請求項３に記載の発明は、請求項２に記載の発明の構成に加えて、トップブリッジの前部から前方に突出し、メインスイッチの上部を覆うカバー部を、トップブリッジに一体に設けることを特徴とする。
【００１０】
請求項４に記載の発明は、請求項３に記載の発明の構成に加えて、カバー部の下部にメインスイッチが固定され、カバー部の側部とトップブリッジの前部との間を繋ぐ突出部をトップブリッジに一体に設けることを特徴とする。
【発明の効果】
【００１１】
請求項１に記載の自動二輪車の操向装置によれば、トップブリッジは、トップブリッジの上面に設けられ、保持部から中央部に向けて延びる突起部を有するため、トップブリッジの軽量化を図ることができると共に、トップブリッジの剛性を確保することができる。特に、突起部をトップブリッジの上面に設けるので、ヘッドパイプを中心とした上方向の曲げモーメントに対するトップブリッジの剛性をより効果的に高めることができる。
【００１２】
請求項２に記載の自動二輪車の操向装置によれば、ステアリングは、左右分離型のステアリングであり、左右のステアリングがそれぞれフロントフォークの上端部に固定され、突起部は、保持部の前部から中央部に向けて延びる第１突起部と、保持部の後部から中央部に向けて延びる第２突起部と、を有するため、ヘッドパイプを中心とした操舵方向の曲げモーメントに対するトップブリッジの剛性を効果的に高めることができる。また、保持部の前部と後部にそれぞれの根元部分に突起部を設けるので、トップブリッジの剛性をより効果的に高めることができる。また、保持部の前部と後部の間の中央部からの突起部を省略することにより、トップブリッジの軽量化を図ることができる。
【００１３】
請求項３に記載の自動二輪車の操向装置によれば、トップブリッジの前部から前方に突出し、メインスイッチの上部を覆うカバー部を、トップブリッジに一体に設けるため、カバー部を別途設ける場合と比較して、部品点数を削減することができる。また、カバー部を別途設ける場合に懸念されるカバー部の取り外しなどのイタズラを防止することができる。
【００１４】
請求項４に記載の自動二輪車の操向装置によれば、カバー部の下部にメインスイッチが固定され、カバー部の側部とトップブリッジの前部との間を繋ぐ突出部をトップブリッジに一体に設けるため、カバー部とトップブリッジとの間を補強することができる。これにより、重量物であるメインスイッチをトップブリッジに強固に固定することができる。
【発明を実施するための最良の形態】
【００１５】
以下、本発明に係る自動二輪車の操向装置の一実施形態について、図面を参照して詳細に説明する。なお、図面は符号の向きに見るものとし、以下の説明において、前後、左右、上下は、運転者から見た方向に従い、図面に車両の前方をＦｒ、後方をＲｒ、左側をＬ、右側をＲ、上方をＵ、下方をＤ、として示す。
【００１６】
図１に示すように、本実施形態の自動二輪車１０は、車体フレーム１１を、前端に設けられるヘッドパイプ１２と、ヘッドパイプ１２から後方そして後方且つ下方に延びるメインフレーム１３と、メインフレーム１３の後端部に連結されるピボットプレート１４と、メインフレーム１３の中間部に連結され後方且つ上方に延びる左右一対のシートフレーム１５と、ピボットプレート１４に連結され後方且つ上方に延び、その後端部がシートフレーム１５の後端部と連結される左右一対のサブフレーム１６と、ヘッドパイプ１２から後方且つ下方に延びるダウンチューブ１７と、から構成し、メインフレーム１３、ピボットプレート１４、及びダウンチューブ１７に、エンジン２０及びエンジン２０の後部に一体的に設けられる変速機２１が取り付けられる。
【００１７】
また、自動二輪車１０は、ピボットプレート１４に揺動可能に支持されるスイングアーム２３と、スイングアーム２３の後端部に回転可能に支持される後輪ＷＲと、スイングアーム２３とシートフレーム１５側とに連結されるクッションユニット２４と、ヘッドパイプ１２に前部ステー２５を介して取り付けられるヘッドライト２６及びメータ２７と、ヘッドライト２６にナンバープレートステー２８を介して取り付けられるフロントナンバープレート２９と、メインフレーム１３上に固定される燃料タンク３０と、を備える。
【００１８】
なお、図１中の符号３１はウィンドスクリーン、３２はフロントカウル、３３はアンダーカウル、３４はサイドカウル、３５はリヤカウル、３６はバックミラー、３７はホーン、３８はフロントウィンカ、３９はテールライト装置、４０はフロントフェンダ、４１はリヤフェンダ、４２はシート、４３は吸気管、４４はスロットルボディ、４５は接続管、４６はエアクリーナ、４７は排気管、４８はマフラー、４９はオイルクーラ、５０は燃料ポンプ、５１はグラブレール、５２はリヤナンバープレート、５３はメインステップ、５４はピリオンステップ、５５はメインスタンドである。
【００１９】
また、自動二輪車１０は、図１及び図２に示すように、車体フレーム１１のヘッドパイプ１２に、操向装置７０を介して操向自在に支持される左右一対のフロントフォーク６０Ｌ，６０Ｒと、左右一対のフロントフォーク６０Ｌ，６０Ｒの下端部間に回転可能に支持される前輪ＷＦと、左右一対のフロントフォーク６０Ｌ，６０Ｒの上端部にそれぞれ取り付けられる左右分離型の操舵用のステアリング６１Ｌ，６１Ｒと、を備える。
【００２０】
また、図３〜図７に示すように、ステアリング６１Ｌ，６１Ｒの下端部には、フロントフォーク６０Ｌ，６０Ｒに固定される固定部６２が形成されており、この固定部６２をボルト９１でかしめることによって、フロントフォーク６０Ｌ，６０Ｒの上端部にステアリング６１Ｌ，６１Ｒが固定される。
【００２１】
操向装置７０は、図２〜図７に示すように、ヘッドパイプ１２に挿通されるステアリングステム７１と、ステアリングステム７１の上端部に中央部が固定されるトップブリッジ７２と、ステアリングステム７１の下端部に中央部が固定されるボトムブリッジ７３と、を備える。これにより、トップブリッジ７２及びボトムブリッジ７３は、ステアリングステム７１を介してヘッドパイプ１２に操向自在に取り付けられる。
【００２２】
また、図３〜図７に示すように、トップブリッジ７２の両端部には、左右一対のフロントフォーク６０Ｌ，６０Ｒをそれぞれ保持する保持部７４，７４が形成されており、この保持部７４をボルト９２でかしめることにより、トップブリッジ７２の両端部にフロントフォーク６０Ｌ，６０Ｒが保持される。また、保持部７４，７４の前部には段差部７４ａがそれぞれ形成されており、この段差部７４ａは、ステアリング６１Ｌ，６１Ｒの下端部の固定部６２と接して、ステアリング６１Ｌ，６１Ｒの回り止めとなっている。
【００２３】
そして、本実施形態では、図３〜図５に示すように、トップブリッジ７２の上面には、保持部７４から中央部、即ち、ステアリングステム７１が挿通されるステム挿通孔７５に向けて延びる第１及び第２突起部７６ａ，７６ｂが一体に形成される。また、第１突起部７６ａは、保持部７４の前部からステム挿通孔７５に向けて延びるように形成され、第２突起部７６ｂは、保持部７４の後部からステム挿通孔７５に向けて延びるように形成される。さらに、第１及び第２突起部７６ａ，７６ｂは、ステム挿通孔７５に向けて高さが低くなるようにテーパ状に形成される。
【００２４】
また、本実施形態では、図３〜図７に示すように、トップブリッジ７２の前部には、その前部から前方に突出し、メインスイッチ８０の上部を覆うカバー部７７が一体に形成されており、このカバー部７７の下部（下面）に、メインスイッチ８０がスペーサ８１を介して不図示のボルトにより固定される。また、カバー部７７の中央部には、メインスイッチ８０のキーシリンダ部８０ａを挿通するためのシリンダ挿通孔７７ａが上下方向に沿って形成される。
【００２５】
また、本実施形態では、図３〜図７に示すように、トップブリッジ７２には、カバー部７７の左右両側部とトップブリッジ７２の前部との間を繋ぐ突出部７８，７８が一体に形成される。
【００２６】
また、本実施形態では、図３及び図５に示すように、トップブリッジ７２の前部とカバー部７７の接合部は、トップブリッジ７２の上面から上方に立ち上がる側壁部７９によって段差を有しており、これにより、トップブリッジ７２の剛性が高められると共に、メインスイッチ８０の操作性が向上される。
【００２７】
以上説明したように、本実施形態の自動二輪車１０の操向装置７０によれば、トップブリッジ７２は、トップブリッジ７２の上面に設けられ、各保持部７４から中央部（ステム挿通孔７５）に向けて延びる第１及び第２突起部７６ａ，７６ｂと、を有するため、トップブリッジ７２の軽量化を図ることができると共に、トップブリッジ７２の剛性を確保することができる。特に、第１及び第２突起部７６ａ，７６ｂをトップブリッジ７２の上面に設けるので、ヘッドパイプ１２を中心とした上方向の曲げモーメントに対するトップブリッジ７２の剛性をより効果的に高めることができる。
【００２８】
また、本実施形態の自動二輪車１０の操向装置７０によれば、左右分離型のステアリング６１Ｌ，６１Ｒがそれぞれフロントフォーク６０Ｌ，６０Ｒの上端部に固定され、トップブリッジ７２の上面に設けられる突起部は、保持部７４の前部から中央部（ステム挿通孔７５）に向けて延びる第１突起部７６ａと、保持部７４の後部から中央部（ステム挿通孔７５）に向けて延びる第２突起部７６ｂと、を有するため、ヘッドパイプ１２を中心とした操舵方向の曲げモーメントに対するトップブリッジ７２の剛性を効果的に高めることができる。また、保持部７４の前部と後部にそれぞれの根元部分に第１及び第２突起部７６ａ，７６ｂを設けるので、トップブリッジ７２の剛性をより効果的に高めることができる。また、保持部７４の前部と後部の間の中央部からの突起部を省略することにより、トップブリッジ７２の軽量化を図ることができる。
【００２９】
また、本実施形態の自動二輪車１０の操向装置７０によれば、トップブリッジ７２の前部から前方に突出し、メインスイッチ８０の上部を覆うカバー部７７を、トップブリッジ７２に一体に設けるため、カバー部を別途設ける場合と比較して、部品点数を削減することができる。また、カバー部を別途設ける場合に懸念されるカバー部の取り外しなどのイタズラを防止することができる。
【００３０】
また、本実施形態の自動二輪車１０の操向装置７０によれば、カバー部７７の下部にメインスイッチ８０が固定され、カバー部７７の側部とトップブリッジ７２の前部との間を繋ぐ突出部７８，７８をトップブリッジ７２に一体に設けるため、カバー部７７とトップブリッジ７２との間を補強することができる。これにより、重量物であるメインスイッチ８０をトップブリッジ７２に強固に固定することができる。
【図面の簡単な説明】
【００３１】
【図１】本発明に係る自動二輪車の操向装置が搭載された自動二輪車を説明するための左側面図である。
【図２】図１に示す自動二輪車の前方部分の拡大平面図である。
【図３】図１に示すトップブリッジの周辺を後方且つ上方から見た斜視図である。
【図４】図１に示すトップブリッジの周辺を前方且つ上方から見た斜視図である。
【図５】図１に示すトップブリッジの周辺を上方から見た平面図である。
【図６】図１に示すトップブリッジの周辺を前方且つ下方から見た斜視図である。
【図７】図１に示すトップブリッジの周辺を左前方から見た斜視図である。
【符号の説明】
【００３２】
１０    自動二輪車
１１    車体フレーム
１２    ヘッドパイプ
６０Ｌ  フロントフォーク
６０Ｒ  フロントフォーク
６１Ｌ  ステアリング
６１Ｒ  ステアリング
６２    固定部
７０    操向装置
７１    ステアリングステム
７２    トップブリッジ
７３    ボトムブリッジ
７４    保持部
７５    ステム挿通孔
７６ａ  第１突起部
７６ｂ  第２突起部
７７    カバー部
７７ａ  シリンダ挿通孔
７８    突出部
７９    側壁部
８０    メインスイッチ
８０ａ  キーシリンダ部
８１    スペーサ
ＷＦ    前輪
【図１】
2010036617.tif 000003
【図２】
2010036617.tif 000004
【図３】
2010036617.tif 000005
【図４】
2010036617.tif 000006
【図５】
2010036617.tif 000007
【図６】
2010036617.tif 000008
【図７】
2010036617.tif 000009